(57)【要約】【課題】  所望のチャンネルで放送される所望の番組を視聴するために行うべきリモコン操作をより間違いのないように行えるような装置を提供することを目的とする。【解決手段】  識別子がそれぞれ付られた複数のキーを有するリモコン２００を用いて遠隔操作が可能な放送受信装置において、複数の番組プログラムのＥＰＧ情報を受信する受信部１０３と、受信されたＥＰＧ情報と上記複数のキーとに基づいて、上記複数の番組プログラムと上記複数のキーとを対応させて上記複数の番組プログラムのガイド情報を表す番組表を作成するシステムコントロール部１０７と、上記複数の番組プログラムのガイド情報と上記複数のキーに付された識別子とを対応させて作成された番組表を表示する表示装置１５０を備えたことを特徴とする。【選択図】        図１
2005051603.tif 000002
【特許請求の範囲】
【請求項１】
識別子がそれぞれ付られた複数のキーを有するリモートコントロール装置を用いて遠隔操作が可能な放送受信装置において、
複数の番組プログラムのＥＰＧ（電子番組ガイド：Ｅｌｅｃｔｒｉｃ  Ｐｒｏｇｒａｍ  Ｇｕｉｄｅ）情報を受信する受信部と、
上記受信部により受信されたＥＰＧ情報と上記リモートコントロール装置が有する複数のキーとに基づいて、上記複数の番組プログラムと上記リモートコントロール装置が有する複数のキーとを対応させて上記複数の番組プログラムのガイド情報を表す番組表を作成する作成部と、
上記複数の番組プログラムのガイド情報と上記複数のキーに付された識別子とを対応させて上記作成部により作成された番組表を表示する表示部と
を備えたことを特徴とする放送受信装置。
【請求項２】
上記作成部は、
上記受信部により受信されたＥＰＧ情報を蓄積する蓄積部と、
上記複数の番組プログラムが放送される複数のチャンネルに上記リモートコントロール装置が有する複数のキーを割り当てたチャンネル割当て情報を記憶するチャンネル割り当て情報記憶部と
を有し、
上記作成部は、上記蓄積部により蓄積されたＥＰＧ情報に基づいて上記複数の番組プログラムが放送される複数のチャンネル毎に上記複数の番組プログラムのガイド情報を作成し、作成された上記複数の番組プログラムのガイド情報に対し、上記チャンネル割り当て情報記憶部により記憶されたチャンネル割当て情報に基づいて上記リモートコントロール装置が有する複数のキーの識別子を、割り当てられた上記複数の番組プログラムが放送される複数のチャンネルのガイド情報に重量して番組表を作成することを特徴とする請求項１記載の放送受信装置。
【請求項３】
上記作成部は、さらに、上記複数の番組プログラムが放送される複数のチャンネルに対する上記リモートコントロール装置が有する複数のキーの割り当てを変更し、
上記チャンネル割り当て情報記憶部は、変更されたチャンネル割当てに基づくチャンネル割当て情報を記憶することを特徴とする請求項２記載の放送受信装置。
【請求項４】
上記作成部は、
上記複数の番組プログラムが放送される複数のチャンネル毎に、上記複数の番組プログラムが放送される時刻順に羅列するように上記複数の番組プログラムのガイド情報を作成し、
上記複数の番組プログラムが放送される複数のチャンネル毎に、作成された上記複数の番組プログラムのガイド情報に対し、上記リモートコントロール装置が有する複数のキーの識別子を、割り当てられた上記複数の番組プログラムが放送される複数のチャンネルのガイド情報に重量して番組表を作成することを特徴とする請求項２記載の放送受信装置。
【請求項５】
識別子がそれぞれ付られた複数のキーを有するリモートコントロール装置により遠隔操作が可能な放送受信装置を用いて放送受信をおこなう放送受信方法において、
複数の番組プログラムのＥＰＧ（電子番組ガイド：Ｅｌｅｃｔｒｉｃ  Ｐｒｏｇｒａｍ  Ｇｕｉｄｅ）情報を受信する受信工程と、
上記受信工程により受信されたＥＰＧ情報と上記リモートコントロール装置が有する複数のキーとに基づいて、上記複数の番組プログラムと上記リモートコントロール装置が有する複数のキーとを対応させて上記複数の番組プログラムのガイド情報を表す番組表を作成する作成工程と、
上記複数の番組プログラムのガイド情報と上記複数のキーに付された識別子とを対応させて上記作成工程により作成された番組表を表示装置に表示する表示工程と
を備えたことを特徴とする放送受信方法。
【発明の詳細な説明】
【技術分野】
【０００１】
本発明は、放送受信装置及び放送受信方法に関する。特に、例えばデジタルテレビジョン放送を受信可能なテレビジョン受信機と、その操作を行うリモコン装置との関係において、視聴者がＥＰＧ（電子番組ガイド：Ｅｌｅｃｔｒｉｃ  Ｐｒｏｇｒａｍ  Ｇｕｉｄｅ）情報に基づく番組表から任意に選択した番組もしくはチャンネルを視聴するためのリモコン操作を間違いなく行えるようにした番組表の表示方法に関わる。
【背景技術】
【０００２】
例えば、リモコンに配置されたボタンと画面に表示される内容を対応付ける方法として、以下のような記載がある。複数の受信チャンネル（番組）項目の中からいずれかの項目を選択させるために、複数項目を示したメニュー画面を表示させる。また、表示された前記複数項目に関する情報をリモコン装置へ転送する。リモコン装置では、前記表示項目情報に基づいて、前記メニュー画面に表示された前記複数項目の表示位置と対応する配置関係のリモコンキーを点灯あるいは突出させ、画面上の選択項目表示位置と操作キーとの場所の対応をとる。（特許文献１参照）。
【特許文献１】特開２００１−３５９１７９号公報
【発明の開示】
【発明が解決しようとする課題】
【０００３】
前記のようにメニュー表示された項目とその時のリモコンに配置されたボタンの対応関係を表示することによって、視聴者の操作支援を行う技術はある。しかしながら、デジタルテレビジョン放送においては複数チャンネルで時系列に複数番組が放送される。このためにメニュー画面表示状態における対応関係だけでは、必ずしもリモコン操作を間違いなく行えるとは限らない。例えば、所望の番組を視聴するときに再びメニュー画面を表示して、リモコンに配置されたボタンとチャンネルの対応関係を改めて確認しなければならないといった問題があった。
【０００４】
この発明は、所望のチャンネルで放送される所望の番組を視聴するために行うべきリモコン操作をより間違いのないように行えるような装置或いは方法を提供することを目的とする。
【課題を解決するための手段】
【０００５】
この発明に係る放送受信装置は、識別子がそれぞれ付られた複数のキーを有するリモートコントロール装置を用いて遠隔操作が可能な放送受信装置において、
複数の番組プログラムのＥＰＧ（電子番組ガイド：Ｅｌｅｃｔｒｉｃ  Ｐｒｏｇｒａｍ  Ｇｕｉｄｅ）情報を受信する受信部と、
上記受信部により受信されたＥＰＧ情報と上記リモートコントロール装置が有する複数のキーとに基づいて、上記複数の番組プログラムと上記リモートコントロール装置が有する複数のキーとを対応させて上記複数の番組プログラムのガイド情報を表す番組表を作成する作成部と、
上記複数の番組プログラムのガイド情報と上記複数のキーに付された識別子とを対応させて上記作成部により作成された番組表を表示する表示部と
を備えたことを特徴とする。
【発明の効果】
【０００６】
以上のように、この発明によれば、リモコンのボタンの使い勝手が向上し、リモコン操作を容易に行うことができるようになる。
【発明を実施するための最良の形態】
【０００７】
実施の形態１．
実施の形態１では、リモコンに配置されたチャンネル選択ボタンとチャンネルの対応関係を一意的に定めた上で、番組表に表示することによって、所望のチャンネルで放送される所望の番組を視聴するために行うべきリモコン操作をより間違いのないように行えるような装置或いは方法を提供する。
【０００８】
装置或いは方法を提供するために、ＥＰＧ情報を含む放送波を受信する受信手段と、前記受信手段により受信された放送波から前記ＥＰＧ情報を抽出するＥＰＧ情報抽出手段と、前記ＥＰＧ情報に基づく番組表を表示する手段と、リモートコントロール装置（以下、リモコンと略す）に配置された複数あるチャンネル選択ボタンを押し下げることにより特定のチャンネルを選択するチャンネル選択手段とを備えたＥＰＧ受信システムにおいて、前記チャンネル選択ボタンそれぞれに対応する選局先チャンネルを一意に定めるリモコンボタン設定手段と、前記番組表における前記リモコンボタン設定手段によってチャンネル選択ボタンと対応付けられたチャンネルの番組情報表示領域もしくはチャンネル情報表示領域に前記リモコンボタン設定手段によって定められたチャンネル選択ボタンとチャンネルの対応関係を表示する対応関係表示領域を設けた前記番組表の表示手段とを具備する。
【０００９】
以上により視聴者は、現在放送中の番組だけでなく、将来放送される番組についてもチャンネル選択ボタンと放送されるチャンネルとを容易に対応付けることができる。
【００１０】
以下に、実施の形態１について図面を参照して説明する。
【００１１】
図１は、実施の形態１に係わる装置（例えば、デジタルテレビジョン受信機）の構成を示す図である。
【００１２】
被制御機器１００（放送受信装置の一例である）は、例えばデジタルテレビジョン受信機であり、表示（例えば、ディスプレイ）装置１５０（表示部の一例である）に接続されている。
【００１３】
被制御機器１００は、識別子がそれぞれ付られた複数のキーを有するリモコン２００を用いて遠隔操作が可能な放送受信装置である。
【００１４】
受信部１０３は、複数の番組プログラムのＥＰＧ情報を受信する。
【００１５】
作成部の一例として、システムコントロール部１０７は、上記受信部１０３により受信されたＥＰＧ情報と上記リモコン２００が有する複数のキーとに基づいて、上記複数の番組プログラムと上記リモコン２００が有する複数のキーとを対応させて上記複数の番組プログラムのガイド情報を表す番組表を作成する。
【００１６】
表示部の一例として、表示装置１５０は、上記複数の番組プログラムのガイド情報と上記複数のキーに付された識別子とを対応させて上記システムコントロール部１０７により作成された番組表を表示する。
【００１７】
上記システムコントロール部１０７は、ＥＰＧ情報蓄積部１０６（蓄積部の一例である）、チャンネル割り当て情報記憶部１０８を有している。
【００１８】
ＥＰＧ情報蓄積部１０６は、上記受信部１０３により受信されたＥＰＧ情報を蓄積する。
【００１９】
チャンネル割り当て情報記憶部１０８は、上記複数の番組プログラムが放送される複数のチャンネルに上記リモコン２００が有する複数のキーを割り当てたチャンネル割当て情報を記憶する。
【００２０】
そして、上記システムコントロール部１０７は、上記ＥＰＧ情報蓄積部１０６により蓄積されたＥＰＧ情報に基づいて上記複数の番組プログラムが放送される複数のチャンネル毎に上記複数の番組プログラムのガイド情報を作成し、作成された上記複数の番組プログラムのガイド情報に対し、上記チャンネル割り当て情報記憶部１０８により記憶されたチャンネル割当て情報に基づいて上記リモコン２００が有する複数のキーの識別子を、割り当てられた上記複数の番組プログラムが放送される複数のチャンネルのガイド情報に重量して番組表を作成する。
【００２１】
また、上記システムコントロール部１０７は、さらに、上記複数の番組プログラムが放送される複数のチャンネルに対する上記リモコン２００が有する複数のキーの割り当てを変更し、
上記チャンネル割り当て情報記憶部１０８は、変更されたチャンネル割当てに基づくチャンネル割当て情報を記憶する。
【００２２】
以下、具体的に説明する。
【００２３】
受信信号は、アンテナ装置１０１で受信され、入力端子１０２より受信部１０３へ入力される。受信部１０３はテレビジョン信号の受信周波数、およびチャンネルの決定を行う。受信部１０３へ入力された信号はパケット分離部１０４へ送られ、映像・音声信号とＥＰＧ情報に分離される。
【００２４】
パケット分離部１０４で分離されたＥＰＧ情報は、パケット分離部１０４よりＥＰＧ情報処理部１０５へ送られる。ＥＰＧ情報処理部１０５では、ＥＰＧ情報を解析し、ＥＰＧ情報蓄積部１０６（蓄積部の一例である）へ蓄積される。デジタルテレビジョン放送受信状態においては、時々刻々ＥＰＧ情報処理部１０５にＥＰＧ情報が導入される。従って、ＥＰＧ情報処理部１０５では、時々刻々導入されるＥＰＧ情報をＥＰＧ情報蓄積部１０６に蓄積済みのＥＰＧ情報と重畳して、ＥＰＧ情報蓄積部１０６に蓄積していく。ＥＰＧ情報蓄積部１０６に蓄積されたＥＰＧ情報をもとに、システムコントロール部１０７（作成部の一例である）によって、番組表（複数チャンネルごとに放送される番組順に時系列に配置されるテーブル）データ（ガイド情報の一例である）が形成される。
【００２５】
以上のように、ＥＰＧ受信システムは、前記受信手段によって受信されたＥＰＧ情報を永続記憶領域に蓄積させる蓄積手段と、前記蓄積手段によって蓄積されたＥＰＧ情報に前記受信手段によって時々刻々受信されるＥＰＧ情報を重畳するＥＰＧ情報重畳手段とを備えている。
【００２６】
システムコントロール部１０７には、チャンネル割り当て情報記憶部１０８がある。チャンネル割り当て情報記憶部１０８には、リモコン２００に配置されたチャンネル選択ボタン２０１と放送されているチャンネルとを対応付けたチャンネル割り当て情報が記録されている。
【００２７】
システムコントロール部１０７では、チャンネル割り当て情報記憶部１０８に記録されている前記チャンネル割り当て情報と前記番組表データを重畳して、チャンネル割り当て情報付きの番組表データを生成する。チャンネル割り当て情報付きの番組表データは、視聴者によるリモコン２００の操作に応じて、出力制御部１０９へ送られる。
【００２８】
一方、映像・音声信号は、パケット分離部１０４から映像・音声復号部１１０へ入力され、復号されてから、前記出力制御部１０９へ入力される。
【００２９】
出力制御部１０９にはウインドウ表示制御部が含まれ、システムコントロール部１０７からの指示によって、映像出力にメニュー項目や番組表などのウインドウを重畳する。また、出力制御部１０９には、映像加工を行う映像加工部、および映像加工用メモリが含まれ、映像・音声復号部１１０から入力された映像信号を加工することができる。これらについては、図１では出力制御部１０９としてまとめている。出力制御部１０９から、例えば、表示装置１５０としてのディスプレイや音声出力装置としてのスピーカに映像・音声が出力されるが、ここではスピーカを省略している。
【００３０】
被制御機器１００はリモコン２００を用いて制御可能である。リモコン２００の送信部２０２から送信された信号は、被制御機器１００のリモコン受信部１１１で受信される。リモコン受信部１１１で受信されたリモコンの信号は、リモコン信号処理部１１２を介して、システムコントロール部１０７に送られる。
【００３１】
したがって、任意のチャンネル選択ボタン２０１を押し下げると、前記のとおり、リモコン信号が被制御機器１００のシステムコントロール部１０７へ送られ、システムコントロール部１０７では、チャンネル割り当て情報記憶部１０８に記憶されたチャンネル割り当て情報から一意に定められるチャンネルを決定し、該チャンネルを選局することができる。
【００３２】
図２は、例えば、リモコン２００によって被制御機器１００から表示装置１５０であるディスプレイの画面１に番組表２を表示させた場合について示す図である。
【００３３】
図２において、表示装置１５０は、ディスプレイの画面１に、視聴者がリモコン２００を操作することによって番組表２を表示する。
【００３４】
番組表２は、前記のとおり被制御機器１００で生成され、ディスプレイの画面１に表示される。番組表２の構成例としては、図２のように複数チャンネルを縦方向に並べ、それぞれのチャンネルで放送される複数番組を横方向に時系列に並べている。番組表の表示方法としては、複数チャンネルを横方向に並べ、それぞれのチャンネルで放送される複数番組を時系列に縦方向に並べるような場合も考えられる。ここでは、図２のような番組表について説明するが、実施可能な範囲が図２の場合に限られないことは言うまでもない。
【００３５】
図２において番組表２は、チャンネル情報を縦方向に並べるチャンネル情報表示領域３とチャンネル情報表示領域３に表示されるそれぞれのチャンネルで放送される番組情報を横方向に時系列的に並べる番組情報表示領域４と番組表の表示対象である時刻を示す時刻表示領域５とから構成される。チャンネル情報表示領域３に表示されているチャンネルのうち、チャンネル選局ボタンとしてのチャンネル選択ボタン２０１と対応付けられたチャンネル（以下、リモコンチャンネルと略す）の領域の対応関係表示領域６には、該チャンネルに対応付けられているチャンネル選局ボタンを示す記号（ボタンの数字など）を表示する。リモコンチャンネル以外のチャンネルの対応関係表示領域６は、チャンネル選択ボタンが割り当たっていないことを示すために、別の記号を表示するまたは空欄表示とする。
【００３６】
例えばデジタルテレビジョン放送では、放送されている複数チャンネルがチャンネル情報表示領域３には入りきらない場合がある。このような場合には、リモコン２００に配置された移動ボタン２０３を押し下げることによって番組表がスクロールし、新たなチャンネル情報が出現する。また、番組情報表示領域４についても表示可能な時間は有限であるため、放送される予定にあるすべての番組を表示しきれない場合がある。このような場合にも、リモコン２００に配置された移動ボタン２０３を押し下げることによって番組表がスクロールし、新たな時間帯の番組情報が出現する。スクロールの方法については、後で図を用いて説明する。
【００３７】
図２を用いて、ディスプレイの画面１表示される番組表２に３つのチャンネルを表示する場合について詳しく説明する。図２にあるとおり、例えば、チャンネル３０１がＮＨＫ総合・関東であり、チャンネル３０２がＮＨＫ総合・近畿であり、チャンネル３０３がＮＨＫ教育・関東である場合、番組表２のチャンネル情報表示領域３には、縦方向にチャンネル３０１、チャンネル３０２、チャンネル３０３のチャンネル情報が表示される。
【００３８】
また、それぞれのチャンネルで放送される番組情報は、番組情報表示領域４に放送される時間に合わせて、横方向に並べて表示される。番組表２の時刻表示領域５には、番組表２の表示対象となっている時間帯が表示されている。
【００３９】
例えば、チャンネル３０１で９：００乃至１０：１５まで放送される番組が番組４０１で表されたインターネット講座であり、１０：１５乃至１１：００まで放送される番組が番組４０２で表された英会話講座であり、１１：００乃至１２：３０まで放送される番組が番組４０３で表された高校野球・第一試合であるような場合を示している。ただし、表示対象の時間帯が９：００乃至１２：００のため番組４０３で表された高校野球・第一試合は１２：００までの枠で表示している。
【００４０】
リモコン２００の移動ボタン２０３を押し下げて、任意の番組にカーソルを当てるとカーソルの当たっている番組の欄が強調表示される。図２では、チャンネル３０２の番組４０４で表された地球紀行・四季にカーソルが当たっている例を示している。強調表示は、番組の枠を太線にする、もしくは番組欄を着色するなどの方法がある。また、カーソルの当たっている番組のチャンネル情報、および番組情報の詳細は欄外領域８に表示される。また、図２の例とは異なるが、欄外領域７に対応関係表示領域６を設けてもよい。
【００４１】
図３〜図７は、番組表をスクロールさせて任意のチャンネルで放送される任意の番組を表示させる方法を説明する図である。
【００４２】
図３は、図２と同様の図である。表示されているチャンネルを変える場合を説明する。前記リモコン２００の移動ボタン２０３を押し下げることにより、図４のようにチャンネル情報表示領域３のチャンネル３０２、チャンネル３０３が上方向にシフトし、最下段に新たにチャンネル３０４、例えばＮＨＫ教育・近畿が表示される。番組情報表示領域４もチャンネル情報表示領域３のスクロールに合わせてスクロールされ、新たに最下段にチャンネル３０４で放送される番組情報が表示される。図５には、図３の表示状態から前記リモコン２００の移動ボタン２０３を押し下げることにより、チャンネル３０１、チャンネル３０２が下方向にシフトし、新たに最上段にチャンネル３０５、例えばＮＨＫ総合・釧路が表示される様子を図示している。
【００４３】
次に、表示する時間帯を変える場合について説明する。前記リモコン２００の移動ボタン２０３を押し下げることによって表示される時間帯を変えることができる。図３にあるとおり、例えばチャンネル３０１で放送される番組が番組４０１で表されたインターネット講座、番組４０２で表された英会話講座、番組４０３で表された高校野球・第一試合の順であった場合、前記リモコン２００の移動ボタン２０３を押し下げることにより、図６にあるとおり、表示される時間帯が未来の方向に進み、番組４０２、番組４０３が左へシフトし、新たに右側に１２：３０乃至１４：００に放送される番組４０５で表された高校野球・第二試合が表示される。ただし、表示対象の時間帯が１０：００乃至１３：００のため番組４０３で表された高校野球・第二試合は１３：００までの枠で表示している。また、この場合にはスクロールされるのは番組情報表示領域４のみであり、チャンネル情報表示領域３の表示状態は変化しない。図７には、表示される時間帯が過去の方向に番組４０１、番組４０２が右へシフトし、新たに左側に８：００乃至９：００に放送される番組４０６で表されたフランス語会話が表示される様子を図示している。
【００４４】
上記例では、リモコン２００のチャンネル選択ボタン２０１のうち「７」にＮＨＫ総合・近畿を放送するチャンネル３０２、「９」にＮＨＫ教育・近畿を放送するチャンネル３０４、「１０」にＮＨＫ総合・釧路を放送するチャンネル３０５が割り当てられている。従って図３のチャンネル情報表示領域３の対応関係表示領域６におけるチャンネル３０２の領域には「７」を示す表示がされている。図４、図５についても同様である。
【００４５】
このように番組表２の表示状態をスクロールさせることにより、デジタルテレビジョン放送の任意のチャンネルで放送される任意の番組情報をＥＰＧ情報の蓄積されている範囲で表示することができる。また、任意のチャンネルで放送される番組について、該チャンネル情報がチャンネル情報表示領域３に表示されているため視聴者は容易に番組とチャンネル情報を対応付けることができる。また、対応関係表示領域６にチャンネル選択ボタン２０１との対応関係が表示されるため番組とチャンネル選択ボタン２０１の対応関係を容易に知ることができる。これにより、視聴者は放送中、もしくは放送予定にある視聴したい番組の番組情報と、放送時間と、チャンネル選択ボタンを容易に知ることができ、操作性が向上する。
【００４６】
また、対応関係表示領域６をリモコン２００の選択ボタン２０４によって選択すると該チャンネルの対応関係表示領域６が強調表示され、選択中であることを表示する。対応関係表示領域６選択中に、チャンネル選択ボタン２０１の任意のボタンを押し下げる、もしくは移動ボタン２０３を押し下げることによって、任意のチャンネル選択ボタン２０１に選択中である対応関係表示領域６に対応したチャンネルを対応付けることができる。この場合、対応関係表示領域６選択前までに該チャンネル選択ボタン２０１に割り当てられていたリモコンチャンネルの割り当ては解除される。
【００４７】
以上のように、ＥＰＧ受信システムは、前記対応関係表示領域を選択する対応関係表示領域選択手段と、前記対応関係表示領域選択手段によって選択された任意のチャンネルに任意のチャンネル選択ボタンを一意に割り当てることができるリモコンボタン設定変更手段とを備えている。
【００４８】
以上の動作について図８〜１０を用いて示す。
【００４９】
図８は、図２と同じ画面を示している図である。
【００５０】
図９は、図２の表示状態から対応関係表示領域６のうち、ＮＨＫ総合・関東が放送されるチャンネル３０１の対応関係表示領域を選択した状態の表示例を示す図である。
【００５１】
図９において、リモコン２００のチャンネル選択ボタン２０１の「７」ボタンを押し下げることにより、新たにＮＨＫ総合・関東が放送されるチャンネル３０１にチャンネル選択ボタン２０１の「７」ボタンが対応付けられ、それまでチャンネル選択ボタン２０１の「７」に対応付けられていたＮＨＫ総合・近畿が放送されるチャンネル３０２の対応付けは解除される。
【００５２】
図１０は、対応付けの変更後の表示を示している図である。
【００５３】
このようにすることによって、視聴者は視聴したい番組の放送されるチャンネルに任意のチャンネル選択ボタン２０１を割り当てることができるようになり、さらに操作性が向上する。
【００５４】
以上のように、複数チャンネルで複数番組が放送されるデジタルテレビジョン放送においては、視聴者はリモコンに割り当てられたチャンネルと番組表から見つけた番組を放送するチャンネルとの対応をつけ難い。そこで、本実施の形態では、リモコンに配置されたチャンネル選択ボタンとチャンネルの対応関係を一意的に定めた上で、番組表に表示することによって、所望のチャンネルで放送される所望の番組を視聴するために行うべきリモコン操作を容易に行えるようにした。
【００５５】
なお、本実施の形態１は一例を示したに過ぎず、上記実施の形態に限定されるものではないことは言うまでもない。
【００５６】
本実施の形態によれば、番組プログラムのガイド情報と上記複数のキーに付された識別子とを対応させて作成された番組表を表示することにより、視聴者は容易に番組と上記リモートコントロール装置が有する複数のキーとを対応付けることができる。
【００５７】
本実施の形態によれば、上記リモートコントロール装置が有する複数のキーの識別子を、割り当てられた上記複数の番組プログラムが放送される複数のチャンネルのガイド情報に重量して番組表を作成することにより、任意のチャンネルで放送される番組について、視聴者は容易に複数の番組の各番組とチャンネル情報を対応付けることができる。また、番組とチャンネル選択ボタンの対応関係を容易に知ることができる。これにより、視聴者は放送中、もしくは放送予定にある視聴したい番組の番組情報と、放送時間と、チャンネル選択ボタンを容易に知ることができ、操作性が向上する。
【００５８】
本実施の形態によれば、上記複数の番組プログラムが放送される複数のチャンネルに対する上記リモートコントロール装置が有する複数のキーの割り当てを変更することにより、任意のチャンネルに任意のチャンネル選択ボタンを一意に割り当てることができる。
【００５９】
本実施の形態によれば、複数の番組プログラムが放送される時刻順に羅列するように上記複数の番組プログラムのガイド情報に対し、上記リモートコントロール装置が有する複数のキーの識別子を、割り当てられた上記複数の番組プログラムが放送される複数のチャンネルのガイド情報に重量して番組表を作成することにより、任意のチャンネルで放送される番組について、視聴者は見たい時間帯を容易に識別しながら、さらに、容易に複数の番組の各番組の任意のチャンネルとチャンネル情報を対応付けることができる。
【図面の簡単な説明】
【００６０】
【図１】実施の形態１に係わる装置（例えば、デジタルテレビジョン受信機）の構成を示す図である。
【図２】は、リモコン２００によって被制御装置１００から表示装置１５０であるディスプレイの画面１に番組表２を表示させた場合について示す図である。
【図３】番組表をスクロールさせて任意のチャンネルで放送される任意の番組を表示させる方法を説明する図である。
【図４】番組表をスクロールさせて任意のチャンネルで放送される任意の番組を表示させる方法を説明する図である。
【図５】番組表をスクロールさせて任意のチャンネルで放送される任意の番組を表示させる方法を説明する図である。
【図６】番組表をスクロールさせて任意のチャンネルで放送される任意の番組を表示させる方法を説明する図である。
【図７】番組表をスクロールさせて任意のチャンネルで放送される任意の番組を表示させる方法を説明する図である。
【図８】図２と同じ画面を示している図である。
【図９】図２の表示状態から対応関係表示領域６のうち、ＮＨＫ総合・関東が放送されるチャンネル３０１の対応関係表示領域を選択した状態の表示例を示す図である。
【図１０】対応付けの変更後の表示を示している図である。
【符号の説明】
【００６１】
１  画面、２  番組表、３  チャンネル情報表示領域、４  番組情報表示領域、５  時刻表示領域、６  対応関係表示領域、７  欄外領域、１００  被制御機器、１０１  アンテナ装置、１０２  入力端子、１０３  受信部、１０４  パケット分離部、１０５  ＥＰＧ情報処理部、１０６  ＥＰＧ情報蓄積部、１０７  システムコントロール部、１０８  チャンネル割り当て情報記憶部、１０９  出力制御部、１１０  映像・音声復号部、１１１  リモコン受信部、１１２  リモコン信号処理部、２００  リモコン、２０１  チャンネル選択ボタン、２０２  送信部、２０３  移動ボタン、２０４  選択ボタン、３０１，３０２，３０３，３０４，３０５  チャンネル、４０１，４０２，４０３，４０４，４０５，４０６  番組。
【図１】
2005051603.tif 000003
【図２】
2005051603.tif 000004
【図３】
2005051603.tif 000005
【図４】
2005051603.tif 000006
【図５】
2005051603.tif 000007
【図６】
2005051603.tif 000008
【図７】
2005051603.tif 000009
【図８】
2005051603.tif 000010
【図９】
2005051603.tif 000011
【図１０】
2005051603.tif 000012